(57)【特許請求の範囲】
【請求項１】
内容液を収容する容器の口部に固定されるシリンダと、該シリンダ内を上方付勢状態で上下に摺動可能なピストンを有するステムと、該ステムを通じて吸い上げた内溶液をノズルから吐出させる押下げヘッドとを備える吐出ポンプにおいて、
前記押下げヘッドの押下げによって前記ステムから送り込まれる内溶液を加圧下に収容し、該収容した内溶液を前記押下げヘッドの上昇時に前記ノズルから吐出させる貯留室を備え、
前記押下げヘッドは、前記シリンダの内部断面積よりも大きな内部断面積を有する上部シリンダを備え、
前記ステムは、前記上部シリンダ内を上下に摺動可能な上部ピストンを備え、
前記上部シリンダと前記上部ピストンとによって前記貯留室が形成されていることを特徴とする吐出ポンプ。
【請求項２】
前記押下げヘッドは、該押下げヘッドの押下げ時に前記貯留室と前記ノズルとの連通を遮断する一方、前記押下げヘッドの上昇時に前記遮断を開放する開閉部を備える、請求項１に記載の吐出ポンプ。
【請求項３】
前記押下げヘッドは、前記上部シリンダを有する下部ヘッドと、前記ノズルを有し前記下部ヘッドに対して上下に移動可能に取り付けられる上部ヘッドとを備え、
下部ヘッドと前記上部ヘッドとの一方は、前記ノズルに繋がる流路を取り囲む環状の開閉部用弁座を備え、
前記下部ヘッドと前記上部ヘッドとの他方は、前記開閉部用弁座に着座可能な開閉部用弁体を備え、
前記開閉部用弁座と前記開閉部用弁体とによって前記開閉部が形成されている、請求項２に記載の吐出ポンプ。
【請求項４】
前記押下げヘッドが上端位置にあるときに前記貯留室と前記ノズルとの連通を遮断する封止部を備える、請求項１〜３のいずれか一項に記載の吐出ポンプ。
【請求項５】
前記押下げヘッドと前記ステムとの一方は、前記ノズルに繋がる流路を取り囲む環状の封止部用弁座を備え、
前記押下げヘッドと前記ステムとの他方は、前記封止部用弁座に着座可能な封止部用弁体を備え、
前記封止部用弁座と前記封止部用弁体とによって前記封止部が形成されている、請求項４に記載の吐出ポンプ。
【請求項６】
前記押下げヘッドと係合することで前記シリンダに対して前記押下げヘッドを上下に移動可能に且つ上方への抜け出し不能に保持する保持筒を備える、請求項１〜５のいずれか一項に記載の吐出ポンプ。
【請求項７】
前記容器の口部に装着されることで該口部に前記シリンダを固定する装着キャップを備え、該装着キャップは前記保持筒を備える、請求項６に記載の吐出ポンプ。
【発明の詳細な説明】
【技術分野】
【０００１】
本発明は、押下げヘッド式の吐出ポンプに関し、特に、吐出させた内溶液を両手で受け取れるようにするものである。
【背景技術】
【０００２】
従来、押下げヘッド式の吐出ポンプとして、例えば特許文献１に記載されるように、内容液を収容する容器の口部に固定されるシリンダと、該シリンダ内を上方付勢状態で上下に摺動可能なピストンを有するステムと、該ステムを通じて吸い上げた内溶液をノズルから吐出させる押下げヘッドとを備えるものが知られている。
【先行技術文献】
【特許文献】
【０００３】
【特許文献１】特開２００８−１６２６７１号公報
【発明の概要】
【発明が解決しようとする課題】
【０００４】
特許文献１に記載されるような従来の吐出ポンプでは、押下げヘッドを片手で押下げたときに吐出される内溶液を反対側の手で受け止めることになる。しかしながら、例えばアルコール消毒液を吐出させる場合などに、一度に両手で内溶液を受け取れるようにできれば便利である。
【０００５】
本発明は、前記の課題を解決するために開発されたもので、吐出させた内溶液を両手で受け取れる押下げヘッド式の吐出ポンプを提供することを目的とする。
【課題を解決するための手段】
【０００６】
すなわち、本発明の要旨構成は以下のとおりである。
１．内容液を収容する容器の口部に固定されるシリンダと、該シリンダ内を上方付勢状態で上下に摺動可能なピストンを有するステムと、該ステムを通じて吸い上げた内溶液をノズルから吐出させる押下げヘッドとを備える吐出ポンプにおいて、
前記押下げヘッドの押下げによって前記ステムから送り込まれる内溶液を加圧下に収容し、該収容した内溶液を前記押下げヘッドの上昇時に前記ノズルから吐出させる貯留室を備え、
前記押下げヘッドは、前記シリンダの内部断面積よりも大きな内部断面積を有する上部シリンダを備え、
前記ステムは、前記上部シリンダ内を上下に摺動可能な上部ピストンを備え、
前記上部シリンダと前記上部ピストンとによって前記貯留室が形成されていることを特徴とする吐出ポンプ。
【０００７】
２．前記押下げヘッドは、該押下げヘッドの押下げ時に前記貯留室と前記ノズルとの連通を遮断する一方、前記押下げヘッドの上昇時に前記遮断を開放する開閉部を備える、前記１の吐出ポンプ。
【０００８】
３．前記押下げヘッドは、前記上部シリンダを有する下部ヘッドと、前記ノズルを有し前記下部ヘッドに対して上下に移動可能に取り付けられる上部ヘッドとを備え、
下部ヘッドと前記上部ヘッドとの一方は、前記ノズルに繋がる流路を取り囲む環状の開閉部用弁座を備え、
前記下部ヘッドと前記上部ヘッドとの他方は、前記開閉部用弁座に着座可能な開閉部用弁体を備え、
前記開閉部用弁座と前記開閉部用弁体とによって前記開閉部が形成されている、前記２の吐出ポンプ。
【０００９】
４．前記押下げヘッドが上端位置にあるときに前記貯留室と前記ノズルとの連通を遮断する封止部を備える、前記１〜３のいずれかの吐出ポンプ。
【００１０】
５．前記押下げヘッドと前記ステムとの一方は、前記ノズルに繋がる流路を取り囲む環状の封止部用弁座を備え、
前記押下げヘッドと前記ステムとの他方は、前記封止部用弁座に着座可能な封止部用弁体を備え、
前記封止部用弁座と前記封止部用弁体とによって前記封止部が形成されている、前記４の吐出ポンプ。
【００１１】
６．前記押下げヘッドと係合することで前記シリンダに対して前記押下げヘッドを上下に移動可能に且つ上方への抜け出し不能に保持する保持筒を備える、前記１〜５のいずれかの吐出ポンプ。
【００１２】
７．前記容器の口部に装着されることで該口部に前記シリンダを固定する装着キャップを備え、該装着キャップは前記保持筒を備える、前記６の吐出ポンプ。
【発明の効果】
【００１３】
本発明では、ステムの上部シリンダが、シリンダの内部断面積よりも大きな内部断面積を有しているので、押下げヘッドの押下げ時に内容液の圧力によりステムを押下げヘッドに対して下方に移動させることができ、その結果、内溶液を貯留室に加圧下に収容することができる。したがって、本発明によれば、押下げヘッドの押下げによってステムから送り込まれる内溶液を貯留室に加圧下に収容し、この収容した内溶液を押下げヘッドの上昇時にノズルから吐出させることができる。
【００１４】
したがって、本発明によれば、吐出させた内溶液を両手で受け取れる押下げヘッド式の吐出ポンプを提供することができる。
【図面の簡単な説明】
【００１５】
【図１】本発明の一実施形態に係る吐出ポンプの側面視での断面図であり、押下げヘッドの押下げ開始前の状態を示す。
【図２】図１の吐出ポンプの開閉部及び封止部を拡大して示す側面視での断面図であり、（ａ）は封止部によって貯留室とノズルとの連通が遮断された状態を示し、（ｂ）は開閉部によって貯留室とノズルとの連通が遮断された状態を示す。
【図３】図１の吐出ポンプの側面視での断面図であり、押下げヘッドの押下げ時の状態を示す。
【図４】図１の吐出ポンプの側面視での一部断面図であり、押下げヘッドの押下げ完了時の状態を示す。
【図５】図１の吐出ポンプの側面視での一部断面図であり、押下げヘッドの上昇完了時の状態を示す。
【発明を実施するための形態】
【００１６】
以下、図１〜図５を参照して、本発明の一実施形態に係る吐出ポンプ１００について詳細に例示説明する。
なお、本明細書において、上下方向とはシリンダ１の中心軸線Ｏに沿う方向を意味し、上方とはシリンダ１に対して押下げヘッド３が配置される側（例えば図１における上方）であり、下方とはその反対側である。また、シリンダ１の中心軸線Ｏに対してノズル１０ｇが位置する側を前方とし、その反対側を後方とする。さらに、前方から後方に向かって見たときの左右方向を側方とする。
【００１７】
図１に示すように、本実施形態に係る吐出ポンプ１００は、シリンダ１と、ステム２と、押下げヘッド３とを備えている。シリンダ１は、装着キャップ４によって、内容液を収容する容器Ｃの口部Ｃａに固定されている。また、シリンダ１の下部内周側には座面１ａが形成されており、この座面１ａに着座可能な弾性弁５ａを有する弁体５が配置されている。
【００１８】
弁体５とステム２との間には、ステム２を上方に付勢する付勢部材（本実施形態ではコイルばね）６が配置されている。ステム２は、シリンダ１内を上下に摺動可能な環状のピストン２ａと、ピストン２ａの内周側から上方に延びる筒状のステム本体２ｂとを有している。ステム本体２ｂの内周面に内溶液が下方に逆流するのを阻止する逆止弁（本実施形態ではボール弁）７が形成されている。
【００１９】
また、ステム２は、押下げヘッド３の筒状の上部シリンダ９ａ内を上下に摺動可能な上部ピストン２ｃを有している。上部ピストン２ｃは環状をなし、その内周側がステム本体２ｂの上端部に連なっている。また、上部ピストン２ｃの内周側には周方向に間隔を空けて配置された複数の連結片２ｄを介して封止部用弁体２ｅが連結している。複数の連結片２ｄの相互間にはステム本体２ｂ内の空間と上部シリンダ９ａ内の空間とを連通させる連通孔が形成されている。封止部用弁体２ｅは上方に突出する突起形状をなしている。
【００２０】
なお、本実施形態では、ステム２は、下側ステム部材２Ａと上側ステム部材２Ｂとを互いに嵌合、固定することで構成されている。しかしながら、ステム２は、単一の部材で構成してもよいし、３つ以上の部材で構成してもよい。
【００２１】
装着キャップ４は、容器Ｃの口部Ｃａに装着されることで口部Ｃａにシリンダ１を固定するように構成されている。なお、本実施形態では、装着キャップ４は口部Ｃａに螺合によって装着されるように構成されているが、アンダーカット形状の乗り越えによる嵌合によって装着されるように構成してもよい。
【００２２】
また、装着キャップ４は、押下げヘッド３と係合することでシリンダ１に対して押下げヘッド３を上下に移動可能に且つ上方に抜け出し不能に保持する保持筒８を備えている。なお、保持筒８は、押下げヘッド３と係合することでシリンダ１に対して押下げヘッド３を上下に移動可能に且つ上方に抜け出し不能に保持できれば、必ずしも装着キャップ４に設ける必要はない。例えば、保持筒８を、シリンダ１に一体に形成してもよいし、シリンダ１に嵌合可能に構成してもよい。
【００２３】
保持筒８は、上下方向に延びる筒状をなしており、その内周面の上下方向中間部には、上側部分を縮径させる段部８ａが設けられている。押下げヘッド３の筒状の上部シリンダ９ａは、段部８ａに係合することで押下げヘッド３の上方への抜け出しを阻止する係合突部９ｂを有している。
【００２４】
ステム２の上部には押下げヘッド３が配置されている。押下げヘッド３は、ステム２の上部ピストン２ｃを収容する上部シリンダ９ａを有する下部ヘッド９と、下部ヘッド９に対して上下に移動可能に取り付けられる上部ヘッド１０とを備えている。
【００２５】
下部ヘッド９が備える筒状の上部シリンダ９ａは、シリンダ１の内部断面積よりも大きな内部断面積を有している。ここで、「内部断面積」とは、上部シリンダ９ａないしシリンダ１の中心軸線Ｏに直交する断面での断面積を意味する。上部シリンダ９ａの上端には、円板状の上部壁９ｃが連なっている。上部壁９ｃの中央には、貫通孔９ｄが形成されている。上部壁９ｃの外周縁には、上方に延びる筒壁９ｅが設けられている。
【００２６】
上部ヘッド１０は、下部ヘッド９の筒壁９ｅに対して上方への抜け出し不能に係合する周壁１０ａと、周壁１０ａの上端部に連なる円板状の天壁１０ｂとを備えている。天壁１０ｂには、周壁１０ａに沿って複数の貫通孔１０ｃが間欠状に周設されており、筒壁９ｅの上端縁には、これら貫通孔１０ｃに挿入可能な延長部９ｆが間欠状に周設されている。各延長部９ｆには外周側に突起９ｇが形成されており、周壁１０ａの内周面には、これら突起９ｇに係合可能な突起１０ｄが形成されている。
【００２７】
上部ヘッド１０の天壁１０ｂには、周壁１０ａの内周側で垂下する筒状のガイド壁１０ｅが設けられている。ガイド壁１０ｅは、下部ヘッド９の筒壁９ｅの内周面に摺接するようになっている。
【００２８】
ガイド壁１０ｅの内周側では、天壁１０ｂから垂下筒１０ｆが垂下している。垂下筒１０ｆの内周面には、下部ヘッド９の上部壁９ｃに立設された起立筒９ｈが液密に且つ上下に摺動可能に配置されている。なお、垂下筒１０ｆと起立筒９ｈとの配置を逆転し、垂下筒１０ｆの外周面に、起立筒９ｈを液密に且つ上下に摺動可能に配置するように構成してもよい。いずれの場合においても、垂下筒１０ｆと起立筒９ｈとによって、ノズル１０ｇに繋がる内溶液の流路が形成される。
【００２９】
垂下筒１０ｆの内周側では、上下方向に延びるピン形状をなす開閉部用弁体１０ｈが天壁１０ｂから垂下している。開閉部用弁体１０ｈは、図１に示すように上部ヘッド１０が下部ヘッド９に対して上方に移動した位置にあるときは、図２（ａ）に示すように上部壁９ｃの貫通孔９ｄの内周面との間に内容液の流路となる隙間を形成するように構成されている。また、開閉部用弁体１０ｈは、図３に示すように上部ヘッド１０が下部ヘッド９に対して下方に移動した位置にあるときは、図２（ｂ）に示すように貫通孔９ｄの内周面で構成される開閉部用弁座９ｄ１に着座し、流路を遮断するように構成されている。なお、開閉部用弁座９ｄ１は、環状をなすと共に、ノズル１０ｇに繋がる流路を取り囲んでいる。
【００３０】
吐出ポンプ１００は、図３、４に示すように押下げヘッド３の押下げによってステム２から送り込まれる内溶液を加圧下に収容し、図５に示すように、該収容した内溶液を押下げヘッド３の上昇時にノズル１０ｇから吐出させる貯留室１１を備えている。この貯留室１１は、前述した上部シリンダ９ａ、上部ピストン２ｃ及び上部壁９ｃによって形成されている。
【００３１】
また、吐出ポンプ１００は、押下げヘッド３が、該押下げヘッド３の押下げ時に貯留室１１とノズル１０ｇとの連通を遮断する一方、押下げヘッド３の上昇時に前記遮断を開放する開閉部１２（図２参照）を備えている。本実施形態では、開閉部１２は、開閉部用弁座９ｄ１と開閉部用弁体１０ｈとによって形成されている。なお、開閉部１２はこのような構成に限られず、例えば、上部ヘッド１０にノズル１０ｇに繋がる流路を取り囲む環状の開閉部用弁座を設けると共に、下部ヘッド９に開閉部用弁座に着座可能な開閉部用弁体を設け、これらの開閉部用弁座及び開閉部用弁体によって開閉部を構成してもよい。
【００３２】
さらに、吐出ポンプ１００は、図１及び図２（ａ）に示すように、押下げヘッド３が上端位置にあるときに貯留室１１とノズル１０ｇとの連通を遮断する封止部１３を備えている。本実施形態では、押下げヘッド３の上部壁９ｃに形成された貫通孔９ｄの下端縁で構成され、ノズル１０ｇに繋がる流路を取り囲む環状の封止部用弁座９ｄ２と、ステム２に設けられ、封止部用弁座９ｄ２に着座可能な封止部用弁体２ｅとによって封止部１３が形成されている。なお、封止部１３はこのような構成に限られず、例えば、ステム２にノズル１０ｇに繋がる流路を取り囲む環状の封止部用弁座を設けると共に、押下げヘッド３（下部ヘッド９）に封止部用弁座に着座可能な封止部用弁体を設け、これらの封止部用弁座及び封止部用弁体によって封止部を構成してもよい。
【００３３】
かかる構成によれば、以下の要領で内溶液を吐出させることができる。まず、図１に示したように押下げヘッド３が上端位置にあるときに押下げヘッド３を押下げると、直接押される上部ヘッド１０が下部ヘッド９に対して下方に移動し、図２（ｂ）に示すように開閉部用弁体１０ｈが開閉部用弁座９ｄ１に着座し、貯留室１１とノズル１０ｇとの連通が遮断される。
【００３４】
そして、図３に示すように、さらに押下げヘッド３を押下げると、押下げヘッド３と共にステム２が押し下げられることで逆止弁７の下方の内容液の圧力が高まり、逆止弁７が開いて内容液が貯留室１１に流入する。このとき、上部シリンダ９ａがシリンダ１の内部断面積よりも大きな内部断面積を有していることにより、内容液の圧力はステム２を押下げヘッド３に対して下方に移動させるように作用する。したがって、押下げヘッド３の押下げに伴い、内容液がステム２から貯留室１１に送り込まれ、貯留室１１に加圧下に収容される。
【００３５】
図４に示すように押下げヘッド３が下端位置に達し、或いは下端位置に達する前に押下げヘッド３の押下げを止めると、貯留室１１内の圧力により上部ヘッド１０が下部ヘッド９に対して上方に移動し、貯留室１１とノズル１０ｇとの連通の遮断が開放される。したがって、図５に示すように、押下げヘッド３が上昇しながらノズル１０ｇから内溶液が吐出される。
【００３６】
このように、本実施形態に係る吐出ポンプ１００では、押下げヘッド３の押下げ時には内溶液の吐出を阻止する一方、押下げヘッド３の上昇時に内溶液を吐出させることができるため、押下げヘッド３を押下げた手を、ノズル側に移動させて内溶液を受け取ることができる。そのため、内溶液を両手で受け取ることも可能となる。好ましい内溶液としては、特にアルコール消毒液が挙げられるが、これに限らず、例えば化粧料、液体石鹸など、種々の液体を内溶液とすることができる。
【００３７】
以上説明したように、本実施形態に係る吐出ポンプ１００は、内容液を収容する容器Ｃの口部Ｃａに固定されるシリンダ１と、該シリンダ１内を上方付勢状態で上下に摺動可能なピストン２ａを有するステム２と、該ステム２を通じて吸い上げた内溶液をノズル１０ｇから吐出させる押下げヘッド３とを備え、押下げヘッド３の押下げによってステム２から送り込まれる内溶液を加圧下に収容し、該収容した内溶液を押下げヘッド３の上昇時にノズル１０ｇから吐出させる貯留室１１を備え、押下げヘッド３は、シリンダ１の内部断面積よりも大きな内部断面積を有する上部シリンダ９ａを備え、ステム２は、上部シリンダ９ａ内を上下に摺動可能な上部ピストン２ｃを備え、上部シリンダ９ａと上部ピストン２ｃとによって貯留室１１が形成されているという構成になっている。
【００３８】
また、本実施形態に係る吐出ポンプ１００は、押下げヘッド３は、該押下げヘッド３の押下げ時に貯留室１１とノズル１０ｇとの連通を遮断する一方、押下げヘッド３の上昇時に前記遮断を開放する開閉部１２を備えるという構成になっている。したがって、本実施形態によれば、簡単な構成によって、内溶液を押下げヘッド３の押下げ時に貯留室１１に収容し、押下げヘッド３の上昇時に吐出させることが可能になる。
【００３９】
また、本実施形態に係る吐出ポンプ１００は、押下げヘッド３は、上部シリンダ９ａを有する下部ヘッド９と、ノズル１０ｇを有し下部ヘッド９に対して上下に移動可能に取り付けられる上部ヘッド１０とを備え、下部ヘッド９と上部ヘッド１０との一方は、ノズル１０ｇに繋がる流路を取り囲む環状の開閉部用弁座９ｄ１を備え、上部ヘッド１０と下部ヘッド９との他方は、開閉部用弁座９ｄ１に着座可能な開閉部用弁体１０ｈを備え、開閉部用弁座９ｄ１と開閉部用弁体１０ｈとによって開閉部１２が形成されているという構成になっている。したがって、本実施形態によれば、簡単な構成によって、開閉部１２を形成することができる。
【００４０】
また、本実施形態に係る吐出ポンプ１００は、押下げヘッド３が上端位置にあるときに貯留室１１とノズル１０ｇとの連通を遮断する封止部１３を備えるという構成になっている。したがって、本実施形態によれば、簡単な構成によって、容器Ｃの転倒時などに内容液がノズル１０ｇから漏出することを防止することができる。
【００４１】
また、本実施形態に係る吐出ポンプ１００は、押下げヘッド３とステム２との一方は、ノズル１０ｇに繋がる流路を取り囲む環状の封止部用弁座９ｄ２を備え、押下げヘッド３とステム２との他方は、封止部用弁座９ｄ２に着座可能な封止部用弁体２ｅを備え、封止部用弁座９ｄ２と封止部用弁体２ｅとによって封止部１３が形成されているという構成になっている。したがって、本実施形態によれば、簡単な構成によって、封止部１３を形成することができる。
【００４２】
また、本実施形態に係る吐出ポンプ１００は、押下げヘッド３と係合することでシリンダ１に対して押下げヘッド３を上下に移動可能に且つ上方への抜け出し不能に保持する保持筒８を備えるという構成になっている。したがって、本実施形態によれば、簡単な構成によって、押下げヘッド３とシリンダ１との連結状態を維持することができる。
【００４３】
さらに、本実施形態に係る吐出ポンプ１００は、容器Ｃの口部Ｃａに装着されることで該口部Ｃａにシリンダ１を固定する装着キャップ４を備え、該装着キャップ４は保持筒８を備えるという構成になっている。したがって、本実施形態によれば、さらなる構成の簡素化が可能になる。
【００４４】
前述したところは本発明の一実施形態を示したにすぎず、特許請求の範囲において、種々の変更を加えてもよいことは言うまでもない。
【符号の説明】
【００４５】
１  シリンダ
１ａ  座面
２  ステム
２ａ  ピストン
２ｂ  ステム本体
２ｃ  上部ピストン
２ｄ  連結片
２ｅ  封止部用弁体
２Ａ  下側ステム部材
２Ｂ  上側ステム部材
３  押下げヘッド
４  装着キャップ
５  弁体
５ａ  弾性弁
６  付勢部材
７  逆止弁
８  保持筒
８ａ  段部
９  下部ヘッド
９ａ  上部シリンダ
９ｂ  係合突部
９ｃ  上部壁
９ｄ  貫通孔
９ｄ１  開閉部用弁座
９ｄ２  封止部用弁座
９ｅ  筒壁
９ｆ  延長部
９ｇ  突起
９ｈ  起立筒
１０  上部ヘッド
１０ａ  周壁
１０ｂ  天壁
１０ｃ  貫通孔
１０ｄ  突起
１０ｅ  ガイド壁
１０ｆ  垂下筒
１０ｇ  ノズル
１０ｈ  開閉部用弁体
１１  貯留室
１２  開閉部
１３  封止部
１００  吐出ポンプ
Ｏ  軸線
Ｃ  容器
Ｃａ  口部
【図１】
0006710455.tif 000002
【図２】
0006710455.tif 000003
【図３】
0006710455.tif 000004
【図４】
0006710455.tif 000005
【図５】
0006710455.tif 000006